(57)【要約】【課題】この発明は、ユーザのネットワーク接続環境に無関係に、大容量のデータコンテンツを実用的なレベルで安定に配信することを可能とした送信装置、受信装置及び受信方法を提供することを目的としている。【解決手段】放送局１１は、暗号化された動画コンテンツにリンク情報を付加して送信する。サーバは１２は、暗号化動画コンテンツを復号するための暗号鍵を保持している。テレビジョン放送受信機１５は、受信した暗号化動画コンテンツとリンク情報とをハードディスク１８に蓄積し、リンク情報に基づいてインターネット１９を介してサーバ１２から暗号鍵を取得し、暗号化動画コンテンツを復号する。【選択図】    図１
2004179755.tif 000002
【特許請求の範囲】
【請求項１】
暗号化されたコンテンツにリンク情報を付加して送信する第１の送信手段と、
この第１の送信手段で送信されたリンク情報を用いて生成され、通信ネットワークを介して入力される上りデータに基づいて、前記第１の送信手段で送信されたコンテンツを復号するための暗号鍵を、前記通信ネットワーク上に送信する第２の送信手段とを具備してなることを特徴とする送信装置。
【請求項２】
コンテンツを所定のデータ量を有するデータ単位に分割し、この分割された各データ単位に対してそれぞれ異なる暗号鍵を用いて暗号化処理を施し、この暗号化された各データ単位に対してそれぞれ再生タイミングを示す時間情報を付加し、この時間情報が付加され暗号化された各データ単位を連続させた暗号化コンテンツにリンク情報を付加して送信する第１の送信手段と、
この第１の送信手段で送信されたリンク情報を用いて生成され、通信ネットワークを介して入力される上りデータに基づいて、前記第１の送信手段で送信された暗号化コンテンツのデータ単位を指定するための時間情報と、この時間情報に対応するデータ単位を復号するための暗号鍵とを、前記通信ネットワーク上に送信する第２の送信手段とを具備してなることを特徴とする送信装置。
【請求項３】
前記第１の送信手段は放送局であり、前記第２の送信手段はインターネットに接続されたサーバであることを特徴とする請求項１または２記載の送信装置。
【請求項４】
前記第２の送信手段は、前記第１の送信手段で送信された暗号化コンテンツの各データ単位をそれぞれ指定するための時間情報と、この時間情報に対応するデータ単位を復号するための暗号鍵とが対応付けられて記録された記録手段を備えていることを特徴とする請求項２記載の送信装置。
【請求項５】
暗号化されたコンテンツをリンク情報とともに受信して蓄積する記録手段と、
この記録手段に蓄積されたリンク情報に基づいて、前記暗号化コンテンツを復号するための暗号鍵を要求する上りデータを生成し、通信ネットワーク上に送信する送信手段と、
前記通信ネットワーク上から前記上りデータで要求した暗号鍵を取得し、前記記録手段に蓄積された暗号化コンテンツを復号する復号手段とを具備してなることを特徴とする受信装置。
【請求項６】
分割されたデータ単位毎にそれぞれ異なる暗号鍵を用いて暗号化処理が施され、この暗号化された各データ単位毎にそれぞれ再生タイミングを示す時間情報が付加されてなる暗号化コンテンツを、リンク情報とともに受信して蓄積する記録手段と、
この記録手段に蓄積されたリンク情報に基づいて、前記暗号化コンテンツを各データ単位毎に復号するための時間情報と暗号鍵とを要求する上りデータを生成し、通信ネットワーク上に送信する送信手段と、
前記通信ネットワーク上から前記上りデータで要求した時間情報と暗号鍵とを取得し、前記記録手段に蓄積された暗号化コンテンツに対して、前記取得した時間情報で示されるデータ単位を復号する復号手段とを具備してなることを特徴とする受信装置。
【請求項７】
前記記録手段に蓄積された複数の暗号化コンテンツのタイトルを画面上に一覧表示し、該画面上で選択させる操作手段を具備してなることを特徴とする請求項５または６記載の受信装置。
【請求項８】
前記操作手段で選択されたタイトルに対応する暗号化コンテンツに対して、少なくとも再生、停止、一時停止及び特殊再生のいずれかを要求するための操作画面を表示する表示手段を具備してなることを特徴とする請求項７記載の受信装置。
【請求項９】
暗号化されたコンテンツをリンク情報とともに受信する工程と、
受信した暗号化コンテンツ及びリンク情報を蓄積する工程と、
蓄積されたリンク情報に基づいて、前記暗号化コンテンツを復号するための暗号鍵を要求する上りデータを生成する工程と、
生成された上りデータを通信ネットワーク上に送信する工程と、
前記通信ネットワーク上から前記上りデータで要求した暗号鍵を取得する工程と、
取得した暗号鍵に基づいて前記蓄積された暗号化コンテンツを復号する工程とを具備してなることを特徴とする受信方法。
【請求項１０】
分割されたデータ単位毎にそれぞれ異なる暗号鍵を用いて暗号化処理が施され、この暗号化された各データ単位毎にそれぞれ再生タイミングを示す時間情報が付加されてなる暗号化コンテンツを、リンク情報とともに受信する工程と、
受信した暗号化コンテンツ及びリンク情報を蓄積する工程と、
蓄積されたリンク情報に基づいて、前記暗号化コンテンツを各データ単位毎に復号するための時間情報と暗号鍵とを要求する上りデータを生成する工程と、
生成された上りデータを通信ネットワーク上に送信する工程と、
前記通信ネットワーク上から前記上りデータで要求した時間情報と暗号鍵とを取得する工程と、
取得した時間情報で示されるデータ単位を、取得した暗号鍵を用いて復号する工程とを具備してなることを特徴とする受信方法。
【請求項１１】
前記蓄積された複数の暗号化コンテンツのタイトルを画面上に一覧表示する工程と、
一覧表示されたタイトルを画面上で選択させる工程とを具備してなることを特徴とする請求項９または１０記載の受信方法。
【請求項１２】
前記選択されたタイトルに対応する暗号化コンテンツに対して、少なくとも再生、停止、一時停止及び特殊再生のいずれかを要求するための操作画面を表示する工程を具備してなることを特徴とする請求項１１記載の受信方法。
【発明の詳細な説明】
【０００１】
【発明の属する技術分野】
この発明は、テレビジョン放送と例えばインターネット等のネットワークとによるデータコンテンツの送信が可能な送信装置の改良に関する。また、この発明は、上記の送信装置で送信されたデータコンテンツを受信する受信装置及び受信方法の改良に関する。
【０００２】
【従来の技術】
周知のように、近年では、多種多様な情報供給メディアから得られるコンテンツを、多数のユーザに提供するための配信システムが開発されている。このようなコンテンツ配信システムとして、現在では、例えば動画コンテンツ配信サービス等が実用化されている。
【０００３】
この動画コンテンツ配信サービスは、テレビジョン放送受信機をインターネットに接続し、テレビジョン放送受信機からインターネット上の所定のサーバに動画コンテンツの呼び出しを要求することにより、サーバから動画コンテンツがテレビジョン放送受信機に配信されて視聴されるようにしたものである。
【０００４】
ところで、上記のような動画コンテンツの配信サービスでは、通信回線を流れる動画コンテンツのデータサイズが非常に大きなものとなる。このため、ユーザに対して、十分に実用的なレベルでの動画コンテンツの配信サービスを提供するためには、ネットワークの高速化（ブロードバンド化）が必要になる。
【０００５】
例えば、動画コンテンツにＭＰＥＧ（Ｍｏｖｉｎｇ  Ｐｉｃｔｕｒｅ  Ｅｘｐｅｒｔｓ  Ｇｒｏｕｐ）２方式での圧縮処理を施した場合、その伝送速度は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式による標準テレビジョン画質で４Ｍｂｐｓ（Ｍｅｇａ  ｂｉｔ  ｐｅｒ  ｓｅｃｏｎｄ）、ハイビジョン画質で３０Ｍｂｐｓに及ぶことがある。
【０００６】
これに対し、一般家庭におけるアナログ電話回線で、アナログモデムによるインターネット通信を行なう場合、その伝送速度は、最大でも５６Ｋｂｐｓ（Ｋｉｌｏ  ｂｉｔ
ｐｅｒ  ｓｅｃｏｎｄ）程度である。
【０００７】
このような状況で、例えば、ＮＴＳＣ方式による標準テレビジョン画質で１時間分の動画コンテンツを、サーバからテレビジョン放送受信機にダウンロードした場合、１時間分の動画コンテンツの全データサイズは、４Ｍｂｐｓ×１時間×６０分×６０秒＝１４４００Ｍｂｉｔ＝１４７４５６００Ｋｂｉｔとなる。
【０００８】
このため、このデータをダウンロードするのに要する時間は、１４７４５６００Ｋｂｉｔ／５６Ｋｂｐｓ＝２６３３１４秒＝７３時間、すなわち、３日かかることになる。つまり、ユーザの要求に応じて、サーバから動画コンテンツをダウンロードし、視聴を行なうことは実用上不可能なこととなる。
【０００９】
また、最近では、アナログ電話回線を用いたブロードバンド通信サービスとして、ＡＤＳＬ（Ａｓｙｍｍｅｔｒｉｃ  Ｄｉｇｉｔａｌ  Ｓｕｂｓｃｒｉｂｅｒ  Ｌｉｎｅ）が普及している。このＡＤＳＬによるインターネット接続では、１．５Ｍｂｐｓ〜１２Ｍｂｐｓの伝送レートが得られる。
【００１０】
このため、ＡＤＳＬの８Ｍｂｐｓタイプの場合、ＮＴＳＣ方式による標準テレビジョン画質である４Ｍｂｐｓの動画コンテンツに対しては、その再生を行なえるだけの通信性能を確保することができる可能性がある。ところが、３０Ｍｂｐｓ近い伝送速度を必要とするハイビジョン画質の動画コンテンツでは、さらに３倍から４倍の伝送速度が必要になる。
【００１１】
なお、ＦＴＴＨ（Ｆｉｂｅｒ  Ｔｏ  Ｔｈｅ  Ｈｏｍｅ）を用いた光ファイバ通信手段は、１００Ｍｂｐｓの伝送速度が得られるため、３０Ｍｂｐｓ近い伝送速度のハイビジョン画質の動画コンテンツを、安定して再生することができる。ところが、ＦＴＴＨの普及には、通信基盤（ｉｎｆｒａｓｔｒｕｃｔｕｒｅ）の整備が必要であることから、一般家庭においては、当面、ＡＤＳＬ等のアナログ電話回線を使用したインターネット接続が主流になると考えられている。
【００１２】
したがって、動画コンテンツ配信サービスの提供者（プロバイダ）は、幅広くユーザを獲得するために、アナログ電話回線でインターネットへの接続を行なっている多数の一般家庭に対しても、実用的なサービスの提供を行なえるようにする必要があり、そのために、低伝送速度に対応した低画質の動画コンテンツを用意している。
【００１３】
ただし、通信ネットワークの伝送速度は、ベストエフォートと称され保証されているものではなく、例えば、ＡＤＳＬの８Ｍｂｐｓタイプであっても、ネットワークの輻輳時には著しく伝送速度が低下する。この場合、テレビジョン放送受信機においては、動画コンテンツの受信エラーにより再生画像が破綻する事態が発生する。
【００１４】
このため、プロバイダは、テレビジョン放送受信機側で動画コンテンツの受信が安定して行なわれるようにするため、通信ネットワークの伝送速度が低下することを予め考慮し、動画コンテンツのデータサイズを極力小さくして、通信ネットワークの伝送速度に対して余裕を持たせたサービスを行なう必要がある。これにより、提供することができる動画コンテンツは低品質のものとなる。
【００１５】
このように、一般家庭におけるインターネット接続環境の高速化が十分に実現できないことには、高画質な動画コンテンツを配信するのに十分な伝送速度を確保できないこととなり、動画コンテンツ配信サービスを行なう上での大きな制約となっている。
【００１６】
なお、特許文献１として提示する特開２００２−６４８０６号公報には、テレビジョン放送信号に付加されたパスワードデータと、テレビジョン放送信号に付加されたアドレスによりインターネットを介して得られたパスワードデータとが対応したとき、テレビジョン放送で配信されたコンテンツを受信機に正常に表示する技術が開示されている。
【００１７】
また、特許文献２として提示する特開２００２−５５９０９号公報には、受信装置が、受信したコンテンツからインターネットアドレスを抽出してリモートコントローラに記憶させると、アクセス装置が、リモートコントローラからインターネットアドレスを読み取って表示するので、ユーザがインターネットアドレスを選択して所望のサイトにアクセス可能とする技術が開示されている。
【００１８】
しかしながら、これらの特許文献１及び２には、いずれも、上記したように、データサイズが非常に大きな動画コンテンツを、ユーザに対して十分に実用的となる伝送速度での配信サービスができるようにすることについては、何らの記載もなされていないものである。
【００１９】
【特許文献１】
特開２００２−６４８０６号公報
【００２０】
【特許文献２】
特開２００２−５５９０９号公報
【００２１】
【発明が解決しようとする課題】
以上のように、現状における動画コンテンツの配信システムでは、ハイビジョンのような大容量の動画コンテンツを配信するためには、ユーザ側に高速な通信回線が必要となる。
【００２２】
しかしながら、現状の一般家庭におけるネットワーク接続環境は、アナログ電話回線が主流であることから、動画コンテンツのダウンロードを行なうための十分な伝送速度を確保することができないことになる。特に、ハイビジョンレベルの高画質動画コンテンツをダウンロードして再生することは困難である。
【００２３】
このため、プロバイダは、低速の通信回線を持つユーザに対しても、配信サービスを提供することができるように、低レートの動画コンテンツを配信しなければならないという問題を有している。
【００２４】
そこで、この発明は上記事情を考慮してなされたもので、ユーザのネットワーク接続環境に無関係に、大容量のデータコンテンツを実用的なレベルで安定に配信することを可能とした送信装置、受信装置及び受信方法を提供することを目的とする。
【００２５】
【課題を解決するための手段】
この発明に係る送信装置は、暗号化されたコンテンツにリンク情報を付加して送信する第１の送信手段と、この第１の送信手段で送信されたリンク情報を用いて生成され、通信ネットワークを介して入力される上りデータに基づいて、第１の送信手段で送信されたコンテンツを復号するための暗号鍵を、通信ネットワーク上に送信する第２の送信手段とを備えるようにしたものである。
【００２６】
また、この発明に係る受信装置は、暗号化されたコンテンツをリンク情報とともに受信して蓄積する記録手段と、この記録手段に蓄積されたリンク情報に基づいて、暗号化コンテンツを復号するための暗号鍵を要求する上りデータを生成し、通信ネットワーク上に送信する送信手段と、通信ネットワーク上から上りデータで要求した暗号鍵を取得し、記録手段に蓄積された暗号化コンテンツを復号する復号手段とを備えるようにしたものである。
【００２７】
さらに、この発明に係る受信方法は、暗号化されたコンテンツをリンク情報とともに受信する工程と、受信した暗号化コンテンツ及びリンク情報を蓄積する工程と、蓄積されたリンク情報に基づいて、暗号化コンテンツを復号するための暗号鍵を要求する上りデータを生成する工程と、生成された上りデータを通信ネットワーク上に送信する工程と、通信ネットワーク上から上りデータで要求した暗号鍵を取得する工程と、取得した暗号鍵に基づいて蓄積された暗号化コンテンツを復号する工程とを備えるようにしたものである。
【００２８】
上記のような構成及び方法によれば、大容量のデータコンテンツは暗号化してリンク情報とともに送信して受信側で蓄積し、通信ネットワークでは暗号を解くための暗号鍵を送信するようにしている。これにより、通信ネットワークを使用して大容量のコンテンツを配信する必要がなくなるので、ユーザのネットワーク接続環境に無関係に、大容量のコンテンツを実用的なレベルで安定に配信して視聴させることが可能となる。
【００２９】
【発明の実施の形態】
以下、この発明の実施の形態について、図面を参照して詳細に説明する。図１は、この実施の形態で説明する動画コンテンツ配信システムを概略的に示している。図１において、符号１１は放送局である。この放送局１１は、動画コンテンツをデジタル放送している。
【００３０】
この場合、放送局１１は、放送する動画コンテンツに暗号化処理を施すとともに、特定のサーバ１２にアクセスして情報を読み出すためのリンク情報を付加して、アンテナ１３から送信している。また、この放送局１１は、動画コンテンツの暗号化に使用した暗号鍵を、上記リンク情報で特定されるサーバ１２に供給し保持させる。
【００３１】
ここで、放送局１１のアンテナ１３から送信された信号は、衛星１４を介してユーザの持つテレビジョン放送受信機１５のアンテナ１６に受信される。このテレビジョン放送受信機１５は、アンテナ１６で受信された信号から動画コンテンツを取り出し、暗号化されたままの状態でＨＤＤ（Ｈａｒｄ  Ｄｉｓｋ  Ｄｒｉｖｅ）１７に供給し、そのハードディスク１８に蓄積する。
【００３２】
また、このテレビジョン放送受信機１５は、アンテナ１６で受信された信号からリンク情報を取り出し、インターネット１９を介してサーバ１２にアクセスすることにより、該サーバ１２から暗号鍵を取得する。
【００３３】
このため、テレビジョン放送受信機１５では、ハードディスク１８から暗号化された動画コンテンツを読み出し、サーバ１２から取得した暗号鍵に基づいて動画コンテンツの暗号化を解くことにより、動画コンテンツを視聴することが可能となる。
【００３４】
上記した実施の形態によれば、大容量のデータコンテンツである動画コンテンツは、暗号化して放送電波によりテレビジョン放送受信機１５に送信してハードディスク１８に蓄積し、インターネット１９では動画コンテンツの暗号を解くための暗号鍵を送信するようにしている。
【００３５】
これにより、インターネット１９上で大容量の動画コンテンツを配信する必要がなくなるので、アナログ電話回線でインターネット１９への接続を行なっている一般のユーザに対しても、大容量の動画コンテンツを実用的なレベルで安定に配信して視聴させることが可能となる。
【００３６】
ここで、図２（ａ）〜（ｄ）は、動画コンテンツを暗号化する手法を説明している。すなわち、図２（ａ）に示すように、連続する一連の動画コンテンツを、同図（ｂ）に示すように、複数の動画パケットＰ１，Ｐ２，Ｐ３，Ｐ４，……，Ｐｎに分割する。
【００３７】
そして、図２（ｃ）に示すように、分割された各動画パケットＰ１，Ｐ２，Ｐ３，Ｐ４，……，Ｐｎに対して、それぞれ異なる暗号鍵Ｋ１，Ｋ２，Ｋ３，Ｋ４，……，Ｋｎを用いた暗号化処理が施される。
【００３８】
また、この暗号化された各動画パケットＣ１，Ｃ２，Ｃ３，Ｃ４，……，Ｃｎに対して、それぞれ再生するタイミングを指定するための時間情報であるタイムスタンプＴ１，Ｔ２，Ｔ３，Ｔ４，……，Ｔｎが付加される。
【００３９】
その後、タイムスタンプＴ１，Ｔ２，Ｔ３，Ｔ４，……，Ｔｎ付きの暗号化動画パケットＣ１，Ｃ２，Ｃ３，Ｃ４，……，Ｃｎが、図２（ｄ）に示すように、連続する一連の暗号化動画コンテンツに再構成され、ここに、動画コンテンツの暗号化処理が完了される。
【００４０】
この場合、上記放送局１１では、図２（ｄ）に示すように構成された暗号化動画コンテンツに、サーバ１２にアクセスするためのリンク情報を付加して、アンテナ１３から送信している。
【００４１】
また、放送局１１では、動画コンテンツの暗号化処理に使用した暗号鍵Ｋ１，Ｋ２，Ｋ３，Ｋ４，……，Ｋｎと、タイムスタンプＴ１，Ｔ２，Ｔ３，Ｔ４，……，Ｔｎとを対応させて、サーバ１２に供給し保持させている。
【００４２】
そして、上記放送局１１からアンテナ１３を介して送信された暗号化動画コンテンツとリンク情報とは、テレビジョン放送受信機１５で受信されハードディスク１８に蓄積される。
【００４３】
ここで、ユーザが、テレビジョン放送受信機１５に対して、ハードディスク１８に蓄積されている所定の暗号化動画コンテンツの視聴を要求する操作を行なった場合、テレビジョン放送受信機１５は、視聴が要求された暗号化動画コンテンツに対応するリンク情報をハードディスク１８から読み出す。
【００４４】
そして、テレビジョン放送受信機１５は、読み出したリンク情報に基づいて、暗号化動画コンテンツを復号するための暗号鍵Ｋ１，Ｋ２，Ｋ３，Ｋ４，……，Ｋｎを要求するコマンドを生成し、上りデータとしてインターネット１９上に送信する。
【００４５】
この上りデータには、必要な暗号鍵Ｋ１，Ｋ２，Ｋ３，Ｋ４，……，Ｋｎを保持しているサーバ１２を特定するためのＩＰ（Ｉｎｔｅｒｎｅｔ  Ｐｒｏｔｏｃｏｌ）アドレスが付加されている。
【００４６】
このため、ＩＰアドレスに対応するサーバ１２は、上りデータに含まれている暗号鍵要求コマンドを受信すると、自己の保持している暗号鍵Ｋ１，Ｋ２，Ｋ３，Ｋ４，……，ＫｎとタイムスタンプＴ１，Ｔ２，Ｔ３，Ｔ４，……，Ｔｎとを含む復号用データを、インターネット１９上に送信する。
【００４７】
この場合、サーバ１２は、暗号鍵Ｋ１とタイムスタンプＴ１とのペア、暗号鍵Ｋ２とタイムスタンプＴ２とのペア、暗号鍵Ｋ３とタイムスタンプＴ３とのペア、……というように、各ペアを所定のタイミングで順次インターネット１９上に送信している。
【００４８】
これにより、テレビジョン受信機１５は、まず、暗号鍵Ｋ１とタイムスタンプＴ１とのペアを取得し、ハードディスク１８に蓄積された暗号化動画コンテンツの中から、タイムスタンプＴ１と一致する暗号化動画パケットＴ１＋Ｃ１を読み出す。
【００４９】
その後、テレビジョン受信機１５は、タイムスタンプＴ１とペアで取得された暗号鍵Ｋ１を使用して、暗号化動画パケットＣ１に復号化処理を施し、タイムスタンプＴ１を削除して動画パケットＰ１を得る。
【００５０】
次に、テレビジョン受信機１５は、暗号鍵Ｋ２とタイムスタンプＴ２とのペアを取得し、ハードディスク１８に蓄積された暗号化動画コンテンツの中から、タイムスタンプＴ２と一致する暗号化動画パケットＴ２＋Ｃ２を読み出す。
【００５１】
その後、テレビジョン受信機１５は、タイムスタンプＴ２とペアで取得された暗号鍵Ｋ２を使用して、暗号化動画パケットＣ２に復号化処理を施し、タイムスタンプＴ２を削除して動画パケットＰ２を得る。以下、同様な動作が、動画コンテンツＰｎが得られるまで繰り返される。
【００５２】
すなわち、テレビジョン受信機１５は、復号用データとして取得した暗号鍵Ｋｉ（１≦ｉ≦ｎ）とタイムスタンプＴｉとのペアによって、ハードディスク１８に蓄積された暗号化動画コンテンツの中から、タイムスタンプＴｉと一致する暗号化動画パケットＴｉ＋Ｃｉを読み出す。
【００５３】
そして、テレビジョン受信機１５は、タイムスタンプＴｉとペアで取得された暗号鍵Ｋｉを使用して、暗号化動画パケットＣｉに復号化処理を施し、タイムスタンプＴｉを削除して動画パケットＰｉを得る。
【００５４】
その後、テレビジョン放送受信機１５は、上記のようにして得られた各動画パケットＰ１，Ｐ２，Ｐ３，Ｐ４，……，Ｐｎから、図２（ａ）に示したような連続する一連の動画コンテンツを構成し、この動画コンテンツを復調して映像表示することができる。
【００５５】
上記したように、連続する一連の動画コンテンツを複数の動画パケットＰ１，Ｐ２，Ｐ３，Ｐ４，……，Ｐｎに分割し、各動画パケットＰ１，Ｐ２，Ｐ３，Ｐ４，……，Ｐｎに対して、それぞれ異なる暗号鍵Ｋ１，Ｋ２，Ｋ３，Ｋ４，……，Ｋｎを用いて暗号化処理を施すことにより、動画コンテンツの秘匿性をより一層高めることができる。
【００５６】
図３は、上記したサーバ１２及びテレビジョン放送受信機１５の詳細を示している。すなわち、サーバ１２は、放送局１１から送出された暗号鍵ＫｉとタイムスタンプＴｉとを、メモリ２０に記録している。この場合、メモリ２０には、図４に示すように、暗号鍵Ｋ１，Ｋ２，Ｋ３，Ｋ４，……，ＫｎとタイムスタンプＴ１，Ｔ２，Ｔ３，Ｔ４，……，Ｔｎとが対応付けられて記録される。
【００５７】
このメモリ２０に記録された暗号鍵ＫｉとタイムスタンプＴｉとは、制御部２１の指示に基づいて制御される読み出し部２２により選択的に読み出される。この読み出された暗号鍵ＫｉとタイムスタンプＴｉとは、エンコーダ２３でインターネット１９に出力するための形態に変換され、上記復号化データとして送信部２４を介してインターネット１９上に送信される。
【００５８】
また、サーバ１２は、テレビジョン放送受信機１５からインターネット１９上に送信された上りデータを受信し、デコーダ２５でデコード処理した後、上記制御部２１により解析して読み出し部２２を制御している。
【００５９】
一方、上記テレビジョン放送受信機１５において、アンテナ１６で受信した信号は、チューナ部２６に供給されて所定の暗号化動画コンテンツとそれに付加されたリンク情報とが抽出される。
【００６０】
このチューナ部２６で抽出された暗号化動画コンテンツとリンク情報とは、復調部２７で復調処理が施された後、ファイルシステム部２８を介してＨＤＤ１７に送出され、ハードディスク１８に記録される。
【００６１】
ユーザは、リモートコントローラ２９を操作することにより、テレビジョン放送受信機１５に対して、ハードディスク１８に記録された暗号化動画コンテンツの視聴を要求することができる。この場合、リモートコントローラ２９では、タイムスタンプを指定して暗号化動画コンテンツの再生を要求する。
【００６２】
リモートコントローラ２９の操作情報を受けたＵＩ（Ｕｓｅｒ  Ｉｎｔｅｒｆａｃｅ）部３０は、ファイルシステム部２８を介して視聴要求された暗号化動画コンテンツに付加されているリング情報をハードディスク１８から読み出す。
【００６３】
そして、ＵＩ部３０は、該リンク情報に基づいて、リモートコントローラ２９で指定されたタイムスタンプに対応する暗号鍵を要求するコマンドを含む上りデータを生成する。この上りデータは、エンコーダ３１によりインターネット１９に出力するための形態に変換され、インターネット１９上に送信される。
【００６４】
すると、上記サーバ１２では、インターネット１９上に送信された上りデータからタイムスタンプ付きの暗号鍵要求コマンドを受信し、デコーダ２５でデコード処理して制御部２１に供給する。
【００６５】
制御部２１では、入力されたタイムスタンプに基づいて読み出し部２２を制御し、メモリ２０から指定のタイムスタンプＴｉとそれに対応する暗号鍵Ｋｉとを読み出させる。そして、この読み出し部２２で読み出されたタイムスタンプＴｉと暗号鍵Ｋｉとは、前述したように復号用データとして、エンコーダ２３及び送信部２４を介してインターネット１９上に送信される。
【００６６】
すると、テレビジョン放送受信機１５では、インターネット１９上に送信された復号用データを受信部３２で受信し、デコーダ３３でデコード処理した後、分離部３４によりタイムスタンプＴｉと暗号鍵Ｋｉとに分離する。そして、タイムスタンプＴｉは、ファイルシステム部２８に供給され、暗号鍵Ｋｉは、復号部３５に供給される。
【００６７】
この場合、ファイルシステム部２８は、入力されたタイムスタンプＴｉに対応する暗号化動画パケットＴｉ＋Ｃｉをハードディスク１８から読み取り、復号部３５に供給する。そして、復号部３５は、入力された暗号化動画パケットＣｉに対して、分離部３４から供給された暗号鍵Ｋｉを用いて復号化処理を施し、動画パケットＰｉを生成する。
【００６８】
その後、復号部３５で生成された動画パケットＰｉは、デコーダ３６に供給されてデコード処理されることにより連続する一連の動画コンテンツに構成された後、モニタ３７で映像表示される。
【００６９】
次に、ユーザが、リモートコントローラ２９を用いて、ハードディスク１８に記録されている複数の暗号化動画コンテンツの中から、所望の暗号化動画コンテンツに対して視聴要求を行なう手法について説明する。
【００７０】
まず、ユーザが、リモートコントローラ１８の再生要求キーを操作すると、ファイルシステム部２８は、ハードディスク１８に記録されている複数の暗号化動画コンテンツをジャンル別にモニタに３７に表示する。
【００７１】
ユーザが、モニタ３７の画面上で、例えば、映画のジャンルを選択すると、図５（ａ）に示すように、ハードディスク１８に記録されている複数の暗号化動画コンテンツの中から、映画に対応するコンテンツのサムネイル画面とタイトルとそのリンク情報であるアドレスとが、モニタ３７上に一覧表示される。
【００７２】
なお、映画に対応するコンテンツが一画面で表示し切れない場合には、モニタ３７上に「戻る」及び「次へ」等の操作エリアが表示され、複数の画面に渡って切り替えて表示されるようになる。
【００７３】
この一覧表示画面において、１つのタイトルが枠線Ｌで囲まれている。この枠線Ｌは、リモートコントローラ２９の上下キー等を操作することにより、他のタイトルを囲むように上下移動される。そして、ユーザは、所望のタイトルを枠線Ｌで囲み、リモートコントローラ２９の決定キーを操作することによって、図５（ｂ）に示すように、そのタイトルの映画に対応する操作画面がモニタ３７上に表示される。
【００７４】
この操作画面においては、再生ＰＬＡＹ、早送りＦＦ、早戻しＲＥＷ、一時停止ＰＡＵＳＥ及び停止ＳＴＯＰの操作が可能になっている。これらの操作も、リモートコントローラ２９の左右キー等を操作して選択し、決定キーを操作することで実現される。
【００７５】
例えば、再生ＰＬＡＹが操作されると、前述したように、テレビジョン放送受信機１５のＵＩ部３０は、選択された暗号化動画コンテンツを構成する全ての暗号化動画パケットＴｉ＋Ｃｉを順次指定する上りデータをインターネット１９上に送信する。
【００７６】
このため、サーバ１２の制御部２１は、上りデータで指定されたタイムスタンプＴｉと暗号鍵Ｋｉとを、順次復号用データとしてインターネット１９上に送信する。
【００７７】
これにより、テレビジョン放送受信機１５では、復号用データに基づいて、ハードディスク１８から暗号化動画パケットＣｉを順次読み出して復号化し、ここに、ハードディスク１８に記録された複数の暗号化動画コンテンツの中から、ユーザの選択したコンテンツを再生することができる。
【００７８】
具体的に言えば、図６（ａ）は、ハードディスク１８に記録された複数の暗号化動画コンテンツの中から、ユーザがリモートコントローラ２９を操作して視聴することを選択したコンテンツＴｉ＋Ｃｉを示している。
【００７９】
テレビジョン放送受信機１５では、サーバ２１から送信された復号用データに含まれるタイムスタンプＴｉに基づいて、図６（ｂ）に示すように、タイムスタンプＴ１，Ｔ２，Ｔ３，……に対応する暗号化動画パケットＣ１，Ｃ２，Ｃ３，……を、順次ハードディスク１８から読み出すとともに、暗号鍵Ｋ１，Ｋ２，Ｋ３，……に基づいて復号化する。
【００８０】
そして、テレビジョン放送受信機１５では、図６（ｃ）に示すように、復号後の動画パケットＰ１，Ｐ２，Ｐ３，……を連続させて動画コンテンツを構成することにより、動画コンテンツの再生を行なうことができる。
【００８１】
また、このような再生中に、例えば、動画パケットＰ４の再生時に一時停止ＰＡＵＳＥが操作されると、その動画パケットＰ４に対応するタイムスタンプＴ４を指定する上りデータがインターネット１９上に送信される。
【００８２】
この上りデータを受けたサーバ１２は、一時停止ＰＡＵＳＥの操作が解除されるまで、動画パケットＰ４に対応するタイムスタンプＴ４とその暗号鍵Ｋ４とを復号用データに含めて出力し続ける。
【００８３】
これにより、テレビジョン放送受信機１５では、ハードディスク１８からタイムスタンプＴ４に対応する暗号化動画パケットＣ４のみが読み取られるようになる。そして、この暗号化動画パケットＣ４が暗号鍵Ｋ４で復号化されて動画パケットＰ４となり、図６（ｃ）に示すように連続的に再生されるようになって、ここに、一時停止機能が行なわれることになる。
【００８４】
また、再生ＰＬＡＹと早送りＦＦとが共に操作されて早送り再生（特殊再生）が要求されると、テレビジョン放送受信機１５は、図７（ａ）に示すようにハードディスク１８に記録された暗号化動画コンテンツの中から、タイムスタンプＴ１，Ｔ４，Ｔ７，……を間欠的に指定する上りデータをインターネット１９に送信する。
【００８５】
これにより、サーバ１２は、タイムスタンプＴ１，Ｔ４，Ｔ７，……と、その暗号鍵Ｋ１，Ｋ４，Ｋ７，……とを含む復号用データを送信し、テレビジョン放送受信機１５は、受信した復号用データに基づいて、図７（ｂ）に示すように、飛び飛びに暗号化動画パケットＣ１，Ｃ４，Ｃ７，……をハードディスク１８から読み出して、暗号鍵Ｋ１，Ｋ４，Ｋ７，……により復号化する。
【００８６】
そして、テレビジョン放送受信機１５は、復号化された動画パケットＰ１，Ｐ４，Ｐ７，……を、図７（ｃ）に示すように連続的に再生し、ここに、早送り再生が実現されることになる。
【００８７】
なお、再生ＰＬＡＹと早戻しＲＥＷとが共に操作されて早戻し再生（特殊再生）が要求された場合にも、タイムスタンプＴｉを過去に向けて間欠的に指定することにより、容易に実現することができる。
【００８８】
さらに、スロー再生（特殊再生）が要求された場合、テレビジョン放送受信機１５は、図８（ａ）に示すようにハードディスク１８に記録された暗号化動画コンテンツの中から、タイムスタンプＴ１，Ｔ２，Ｔ３，……を順次指定する上りデータをインターネット１９に送信する。
【００８９】
これにより、サーバ１２は、タイムスタンプＴ１，Ｔ２，Ｔ３，……と、その暗号鍵Ｋ１，Ｋ２，Ｋ３，……とを含む復号用データを送信し、テレビジョン放送受信機１５は、受信した復号用データに基づいて、図８（ｂ）に示すように、暗号化動画パケットＣ１，Ｃ２，Ｃ３，……をハードディスク１８から読み出して、暗号鍵Ｋ１，Ｋ２，Ｋ３，……により復号化する。
【００９０】
そして、テレビジョン放送受信機１５は、復号化された動画パケットＰ１，Ｐ２，Ｐ３，……を、図８（ｃ）に示すように所定回数づつ繰り返し再生し、ここに、スロー再生が実現されることになる。
【００９１】
なお、上記した実施の形態では、テレビジョン放送受信機１５がインターネット１９に送信する上りデータにタイムスタンプＴｉを指定する情報を含ませ、サーバ１２は、上りデータで指定されたタイムスタンプＴｉとその暗号鍵Ｋｉとを送信するようにしている。
【００９２】
しかしながら、これに限らず、例えば、上りデータで再生や早送り再生等の機能のみを指定することにより、サーバ１２が、要求された機能から自動的に必要とするタイムスタンプＴｉを選択して、暗号鍵Ｋｉとともに送信するように構成してもよいものである。このようにすれば、テレビジョン放送受信機１５における再生動作及びその他の特殊再生動作を、サーバ１２側、つまり、コンテンツの提供者側で容易に管理することが可能となる。
【００９３】
また、上記した実施の形態では、衛星１４を介して放送される暗号化動画コンテンツを、予めテレビジョン放送受信機１５で受信してハードディスク１８に蓄積するようにしたが、ハードディスク１８に蓄積する暗号化動画コンテンツとしては、例えば通信ネットワーク等を用いて予め時間をかけて送られてくるものであってもよいものである。
【００９４】
さらに、上記した実施の形態では、放送局１１からサーバ１２に暗号鍵Ｋｉを送って保持させるようにしたが、逆に、サーバ１２から暗号鍵Ｋｉを放送局１１に送り、放送局１１ではサーバ１２から与えられた暗号鍵Ｋｉを用いて、放送する動画パケットＰｉに暗号化を施すようにしてもよいものである。
【００９５】
また、放送局１１とサーバ１２とは、それぞれ別々の事業者によって運営されていても、また、同一事業者によって運営されていてもよく、要するに、暗号鍵Ｋｉを相互間で高いセキュリティをもって伝送し得るように構成されていればよいものである。
【００９６】
なお、この発明は上記した実施の形態に限定されるものではなく、この外その要旨を逸脱しない範囲で種々変形して実施することができる。
【００９７】
【発明の効果】
以上詳述したようにこの発明によれば、ユーザのネットワーク接続環境に無関係に、大容量のデータコンテンツを実用的なレベルで安定に配信することを可能とした送信装置、受信装置及び受信方法を提供することができる。
【図面の簡単な説明】
【図１】この発明の実施の形態を示すもので、動画コンテンツ配信システムの概略を説明するために示す図。
【図２】同実施の形態における動画コンテンツを暗号化する手法を説明するために示す図。
【図３】同実施の形態におけるサーバ及びテレビジョン放送受信機の詳細を説明するために示すブロック構成図。
【図４】同実施の形態におけるサーバのメモリに暗号鍵とタイムスタンプとが対応付けられて記録されていることを説明するために示す図。
【図５】同実施の形態におけるユーザが所望の動画コンテンツを視聴する際の操作画面を説明するために示す図。
【図６】同実施の形態における再生と一時停止とが要求された場合の動作を説明するために示す図。
【図７】同実施の形態における早送り再生が要求された場合の動作を説明するために示す図。
【図８】同実施の形態におけるスロー再生が要求された場合の動作を説明するために示す図。
【符号の説明】
１１…放送局、
１２…サーバ、
１３…アンテナ、
１４…衛星、
１５…テレビジョン放送受信機、
１６…アンテナ、
１７…ＨＤＤ、
１８…ハードディスク、
１９…インターネット、
２０…メモリ、
２１…制御部、
２２…読み出し部、
２３…エンコーダ、
２４…送信部、
２５…デコーダ、
２６…チューナ部、
２７…復調部、
２８…ファイルシステム部、
２９…リモートコントローラ、
３０…ＵＩ部、
３１…エンコーダ、
３２…受信部、
３３…デコーダ、
３４…分離部、
３５…復号部、
３６…デコーダ、
３７…モニタ。
【図１】
2004179755.tif 000003
【図２】
2004179755.tif 000004
【図３】
2004179755.tif 000005
【図４】
2004179755.tif 000006
【図５】
2004179755.tif 000007
【図６】
2004179755.tif 000008
【図７】
2004179755.tif 000009
【図８】
2004179755.tif 000010